(57)【要約】【課題】  選曲に際してジャンル別検索を行う場合に、利用者の趣向に応じて好んで歌唱されるジャンルに属する楽曲を効率よく速やかに選曲する。【解決手段】  取得された利用者ＩＤに基づき特定された利用者が選曲した楽曲が演奏される毎に、当該楽曲に設定されたジャンルフラグに基づき、所定期間におけるジャンル別演奏度数を利用者毎に集計する利用者毎ジャンル別演奏度数集計手段５６と、集計された各ジャンルのジャンル別演奏度数に基づくランキングリストを利用者毎に作成する利用者毎ジャンルランキングリスト作成手段５７と、特定された利用者の中から選曲者としての指定を受ける機能を有し、ジャンル別検索画面において、指定された選曲者の利用者ＩＤに基づくランキングリストにおける所定順位以上の上位ジャンルのジャンル選択ボタンを優先的に表示させる優先表示制御手段２２ｂと、を備える。【選択図】  図１
2011075761.tif 000002
【特許請求の範囲】
【請求項１】
カラオケ楽曲を特徴付ける所定のカテゴリに応じて、楽曲毎に単数又は複数のジャンルフラグが設定された楽曲をジャンル別に選曲するために、複数のジャンル選択ボタンを配設してなるジャンル別検索画面を表示可能なカラオケ楽曲選曲システムにおいて、
利用者管理手段と、利用者毎ジャンル別演奏度数集計手段と、利用者毎ジャンルランキングリスト作成手段と、優先表示制御手段と、を備え、
利用者管理手段は、任意のカラオケ演奏装置において、取得された利用者ＩＤに基づき利用者を特定して管理し、
利用者毎ジャンル別演奏度数集計手段は、前記利用者が選曲した楽曲が演奏される毎に、当該楽曲に設定されたジャンルフラグに基づき、所定期間におけるジャンル別演奏度数を利用者毎に集計し、
利用者毎ジャンルランキングリスト作成手段は、前記集計された各ジャンルのジャンル別演奏度数に基づくランキングリストを利用者毎に作成し、
優先表示制御手段は、前記特定された利用者の中から選曲者としての指定を受ける機能を有し、ジャンル別検索画面において、指定された選曲者の利用者ＩＤに基づく前記ランキングリストにおける所定順位以上の上位ジャンルのジャンル選択ボタンを優先的に表示させる、
ことを特徴とするカラオケ楽曲選曲システム。
【発明の詳細な説明】
【技術分野】
【０００１】
本発明は、カラオケ楽曲選曲システムに関するものであり、特に、カラオケ楽曲を特徴付ける所定のカテゴリに応じて、楽曲毎に単数又は複数のジャンルフラグが設定された楽曲をジャンル別に選曲するために、複数のジャンル選択ボタンを配設してなるジャンル別検索画面を表示可能なカラオケ楽曲選曲システムに関するものである。
【背景技術】
【０００２】
カラオケ演奏装置におけるカラオケ楽曲の選曲方法には、種々の形態がある。例えば、曲名検索やアーティスト検索は、従来より馴染み深い検索方法である。また、個々の楽曲を特徴付けているジャンル別の区分を利用したジャンル別検索も、よく利用されている検索方法の一つである。
【０００３】
例えば、特許文献１には、利用者の好みのカラオケ楽曲のジャンルを特定することができ、さらに、そのジャンルの範疇にはどのような楽曲があるのかを容易かつ効率的に利用者に知らしめることができる技術が開示されている。この特許文献１に記載された技術は、所定の検索モードによる検索にてヒットしたカラオケ楽曲の中から、利用者が任意のカラオケ楽曲を指定した状態でジャンル別データ抽出操作を行った場合に、当該指定楽曲に属するジャンル別データを一覧表示する機能を備えたカラオケリモコン装置に関するものである。なお、ここでいう楽曲のジャンルとは、演歌、Ｊ−ＰＯＰ、アニメソング、応援歌、韓国曲、中国曲、フォークソング等のように、楽曲を特徴付けるカテゴリのことである。
【０００４】
また、特許文献２には、利用者が所望する楽曲をカラオケ演奏装置へリクエストする際に、利用者が、より容易かつ迅速に、その楽曲コードを特定するための技術が開示されている。この特許文献２に記載されている技術は、所定の楽曲データベースに対する任意の検索条件に基づき、ヒットした楽曲情報を一覧表示する際に、演奏頻度ないし予約頻度の高い楽曲が含まれていた場合、これを降順にソートして優先的に検索結果の一覧表示の冒頭部分に表示させるようにしたものである。
【先行技術文献】
【特許文献】
【０００５】
【特許文献１】特開２００５−２８３８０４号公報
【特許文献２】特開２００５−１０７２５９号公報
【発明の概要】
【発明が解決しようとする課題】
【０００６】
ところで、現在の検索用利用者インタフェイスは、主として、一般的なテレビ画面等と比較して小さなＬＣＤ画面（５〜７インチサイズ）を有するカラオケリモコン装置に設けられているため、数多くのジャンル選択ボタンを配置するのは難しい。そして、このような限られた表示領域の中では、例えば、検索ボタンのサイズを小さく構成したり、スクロール表示したり、複数の階層（レイヤ）を設けて、各階層に振り分けて表示したりする等、種々の工夫が施されている。
【０００７】
しかし、カラオケ演奏装置の利用者は、それぞれ趣向が異なるため、好んで歌唱する楽曲のジャンルも異なっている。上述したように、カラオケ演奏装置では、予めジャンル選択ボタンの表示方法がデフォルト設定されているが、利用者の趣向はそれぞれ異なるため、その選曲傾向もそれぞれ異なっている。このため、デフォルトで配置されたジャンル選択ボタンの中から所望のジャンルにおける楽曲を選択するのに手間取ることがある。なお、上述した特許文献２に記載された技術は、演奏頻度ないし予約頻度の高い楽曲を優先的に表示するようにしたものであるが、これは演奏頻度等に応じて楽曲をソートして表示するものであり、ジャンル別検索を行う場合に当該技術をそのまま適用することはできない。
【０００８】
本発明は、上述した事情に鑑み提案されたもので、選曲に際してジャンル別検索を行う場合に、利用者の選曲傾向に応じて、好んで歌唱されるジャンルに属する楽曲を効率よく速やかに選曲することが可能なカラオケ楽曲選曲システムを提供することを目的とする。
【課題を解決するための手段】
【０００９】
本発明のカラオケ楽曲選曲システムは、上述した目的を達成するため、以下の特徴点を有している。すなわち、本発明のカラオケ楽曲選曲システムは、カラオケ楽曲を特徴付ける所定のカテゴリに応じて、楽曲毎に単数又は複数のジャンルフラグが設定された楽曲をジャンル別に選曲するために、複数のジャンル選択ボタンを配設してなるジャンル別検索画面を表示可能なカラオケ楽曲選曲システムにおいて、利用者管理手段と、利用者毎ジャンル別演奏度数集計手段と、利用者毎ジャンルランキングリスト作成手段と、優先表示制御手段と、を備えたことを特徴とするものである。
【００１０】
ここで、利用者管理手段は、任意のカラオケ演奏装置において、取得された利用者ＩＤに基づき利用者を特定して管理するための手段である。利用者毎ジャンル別演奏度数集計手段は、特定された利用者が選曲した楽曲が演奏される毎に、当該楽曲に設定されたジャンルフラグに基づき、所定期間におけるジャンル別演奏度数を利用者毎に集計するための手段である。利用者毎ジャンルランキングリスト作成手段は、集計された各ジャンルのジャンル別演奏度数に基づくランキングリストを利用者毎に作成するための手段である。優先表示制御手段は、特定された利用者の中から選曲者としての指定を受ける機能を有し、ジャンル別検索画面において、指定された選曲者の利用者ＩＤに基づくランキングリストにおける所定順位以上の上位ジャンルのジャンル選択ボタンを優先的に表示させるための手段である。
【００１１】
このような構成からなるカラオケ楽曲選曲システムでは、例えば、選曲装置として機能するカラオケリモコン装置の表示画面に、種々の検索メニューが表示されるが、特に本発明では、ジャンル別検索メニューにおいて、その機能が発揮される。
【００１２】
本発明では、利用者毎ジャンル別演奏度数集計手段の機能により、任意の利用者が選曲した楽曲が演奏される毎に、所定期間におけるジャンル別演奏度数が集計される。ここで、所定期間とは、例えば、１週間、１ヶ月、３ヶ月等、任意に設定された期間のことであるが、リアルタイムでジャンル別演奏度数の集計を行ってもよい。
【００１３】
そして、利用者毎ジャンルランキングリスト作成手段の機能により、利用者毎のジャンル別演奏度数に基づいてランキングリストが作成される。また、例えば、カラオケリモコン装置を用いてジャンル別検索を行う際に、優先表示制御手段の機能により、その表示画面には、ランキングリストで所定順位以上となった上位ジャンルのジャンル選択ボタンが優先的に表示される。すなわち、例えば、上から２位又は３位までのジャンル選択ボタンが、他のジャンル選択ボタンよりも優先的に表示されることになる。なお、優先的な表示とは、例えば、上位ランキングのジャンル選択ボタンを下位ランキングのジャンル選択ボタンよりも大きく表示する等、下位ランキングのジャンル選択ボタンと比較して上位ランキングのジャンル選択ボタンを選択し易くすることである。
【発明の効果】
【００１４】
本発明のカラオケ楽曲選曲システムによれば、利用者毎に楽曲の演奏度数をジャンル別に集計することにより、利用者毎にランキングリストを作成する。そして、利用者を特定した選曲に際してジャンル別検索を行う場合に、上位にランキングされたジャンルのジャンル選択ボタンを、他のジャンル選択ボタンよりも優先的に表示させる。
【００１５】
したがって、例えば、選曲者となる利用者がＪ−ＰＯＰや洋楽を好んで歌唱していた場合には、これらのジャンル選択ボタンが、他のジャンル選択ボタンよりも優先的に表示される。このため、選曲者が好んで歌唱するジャンルに属する楽曲を効率よく速やかに選曲することができ、カラオケ演奏装置を利用した楽曲の歌唱をストレス無く楽しむことが可能となる。
【図面の簡単な説明】
【００１６】
【図１】本発明の実施形態に係るカラオケ楽曲選曲システムの概略構成を示すブロック図。
【図２】楽曲別ジャンル対応付け管理テーブルの構成例を示す説明図。
【図３】利用者毎ジャンル別演奏ランキング管理テーブルの構成例を示す説明図。
【図４】上位ランキングの優先表示の一例を示す説明図。
【発明を実施するための形態】
【００１７】
＜基本構成＞
以下、図面を参照して、本発明のカラオケ楽曲選曲システムの実施形態について説明する。図１は本発明の実施形態に係るカラオケ楽曲選曲システムの概略構成を示すブロック図である。
【００１８】
本発明の実施形態に係るカラオケ楽曲選曲システムは、図１に示すように、複数のカラオケ演奏装置１０と、これらのカラオケ演奏装置１０とネットワーク接続された管理コンピュータ５０とを備えている。なお、本実施形態は、複数のカラオケ演奏装置１０が部屋毎に設置されたカラオケボックス店を想定したものであり、各利用者におけるカラオケ楽曲のジャンル別演奏度数の算出や、ランキングリストの作成は、利用者がカラオケボックス店に設置された任意のカラオケ演奏装置１０を利用した場合に実施されるものとする。
【００１９】
＜管理コンピュータ＞
管理コンピュータ５０は、中央制御手段５１、ＲＯＭ５２、ＲＡＭ５３、ＨＤＤ５４、送受信手段５５、利用者毎ジャンル別演奏度数集計手段５６、利用者毎ジャンルランキングリスト作成手段５７を備えている。本実施形態では、管理コンピュータ５０とカラオケ演奏装置１０とは、ＬＡＮを介して接続されているものとする。なお、ＬＡＮは有線式のものであっても、無線式のものであってもよい。
【００２０】
中央制御手段５１は、管理コンピュータ５０を総合的に制御するための手段であり、例えばＣＰＵ及びその周辺機器により構成されており、ＣＰＵ等がＲＯＭ等に記憶されたプログラムに従って動作することにより、制御機能を発揮することができるようになっている。また、ＲＯＭ５２は、管理コンピュータ５０を構成する各機器を制御するためのプログラムデータや数値データを記憶するための機器であり、ＲＡＭ５３は、プログラムや各種データを一時的に記憶する一時記憶領域として機能するものである。
【００２１】
ＨＤＤ５４は、大容量記憶装置として機能するもので、本実施形態では、楽曲別ジャンル対応付け管理テーブル５４ａ、利用者毎ジャンル別演奏ランキング管理テーブル５４ｂが格納されている。各テーブルについては、後に詳述する。また、送受信手段５５は、管理コンピュータ５０とカラオケ演奏装置１０との間で、データの送受信を行うための電子回路及びプログラムからなる。
【００２２】
＜利用者毎ジャンル別演奏度数集計手段＞
利用者毎ジャンル別演奏度数集計手段５６は、利用者ＩＤに基づき選曲者として特定された利用者が選曲した楽曲が演奏される毎に、当該楽曲に設定されたジャンルフラグに基づき、所定期間におけるジャンル別演奏度数を利用者毎に集計するためのプログラムからなる。なお、複数の利用者が属するグループを一人の利用者と擬製して、ジャンル別演奏度数の集計を行ってもよい。また、所定期間とは、例えば、１週間、１ヶ月、３ヶ月、６ヶ月等、任意に設定された期間のことである。さらに、リアルタイムでジャンル別演奏度数の集計を行うこともできる。
【００２３】
なお、本実施形態においては、管理コンピュータ５０において利用者毎ジャンル別演奏度数の集計等を行っているが、これらの機能をカラオケ演奏装置１０に付帯させてもよい。例えば、グループ化された複数のカラオケ演奏装置１０においては、グループを構成するいずれか１台のカラオケ演奏装置１０を統括カラオケ演奏装置として設定し、この統括カラオケ演奏装置で利用者毎ジャンル別演奏度数の集計等を行うように構成することが可能である。また、カラオケ演奏装置１０が１台のみの場合は、当該カラオケ演奏装置１０で利用者毎ジャンル別演奏度数の集計等を行うように構成することが可能である。
【００２４】
利用者毎ジャンル別演奏度数集計手段５６における集計では、楽曲別ジャンル対応付け管理テーブル５４ａを参照して、各楽曲に対応付けられたジャンルを判断する。図２に、楽曲別ジャンル対応付け管理テーブル５４ａの構成例を示す。
【００２５】
楽曲別ジャンル対応付け管理テーブル５４ａは、図２に示すように、楽曲ＩＤと対応するジャンルフラグとを紐付けして構成されたデータテーブルである。なお、図２に示す例では、説明を容易なものとするため、楽曲名を含めてデータテーブルを構成しているが、楽曲名を他のデータベースから導き出すことができる場合には、楽曲別ジャンル対応付け管理テーブル５４ａにおいて必ずしも必要なデータではない。また、１つの楽曲に対応付けるジャンルフラグの数は１つだけではなく、２つあるいは３つのように、１つの楽曲に対して複数のジャンルフラグを対応付けてもよい。
【００２６】
＜利用者毎ジャンルランキングリスト作成手段＞
利用者毎ジャンルランキングリスト作成手段５７は、集計された各ジャンルのジャンル別演奏度数に基づくランキングリストを利用者毎に作成するためのプログラムからなる。すなわち、利用者毎ジャンルランキングリスト作成手段５７では、利用者毎ジャンル別演奏度数集計手段５６における集計結果に基づいて、利用者毎のランキングリストである利用者毎ジャンル別演奏ランキング管理テーブル５４ｂを作成する。図３に、利用者毎ジャンル別演奏ランキング管理テーブル５４ｂの構成例を示す。
【００２７】
利用者毎ジャンル別演奏ランキング管理テーブル５４ｂは、図３に示すように、利用者毎に、演奏度数に応じて、ジャンル名及び識別フラグを降順に並べたデータテーブルである。なお、図３に示す例では、説明を容易なものとするため、演奏度数、ジャンル名、ジャンルフラグを紐付けして、演奏度数が多い順にデータを並べているが、ランキングリストとしては、ジャンルを識別するためのジャンルフラグの順位さえ認識できるデータ構造であればよい。
【００２８】
＜カラオケ演奏装置＞
管理コンピュータ５０とネットワーク接続された各カラオケ演奏装置１０は、カラオケ本体２１、カラオケリモコン装置２２、マイクロホン２３、スピーカ２４、ミキシングアンプ２５、ディスプレイ装置２６を備えている。
【００２９】
＜カラオケ本体＞
カラオケ本体２１は、中央制御手段３１、ＲＯＭ３２、ＲＡＭ３３、ＨＤＤ３４、ネットワーク送受信手段３５、ローカル送受信手段３６、予約管理手段３７、利用者管理手段３８、音楽再生制御手段３９、映像再生制御手段４０を備えている。
【００３０】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３１】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ、利用者管理テーブル３３ｂ、ランキングリスト３３ｃが記憶されるようになっている。
【００３２】
＜ＨＤＤ＞
ＨＤＤ３４は、大容量記憶装置として機能するもので、楽曲データベース３４ａ及び映像データベース３４ｂが格納されている。なお、ＨＤＤ３４に替えて、あるいはＨＤＤ３４とともに、データを書き替え可能なＤＶＤ等の大容量記憶装置を用いてもよい。
【００３３】
楽曲データベース３４ａは、演奏データ（ＭＩＤＩ（登録商標）データ）及び歌詞描出データが同期されて構成される楽曲データについて、楽曲ＩＤと対応付けてそれぞれ格納したデータベースである。演奏データは各楽曲の演奏データをデジタル化したものであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００３４】
＜送受信手段＞
ネットワーク送受信手段３５は、管理コンピュータ５０とカラオケ本体２１との間で、データの送受信を行うための電子回路及びプログラムからなる。また、ローカル送受信手段３６は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３５】
＜予約管理手段＞
予約管理手段３７は、利用者により楽曲検索手段２２ａの機能を用いて選曲され、ローカル送受信手段３６を介して受信した楽曲ＩＤを、選曲順に予約待ち行列３３ａとしてＲＡＭ３３に格納し、管理するためのプログラムからなる。
【００３６】
＜利用者管理手段＞
利用者管理手段３８は、任意のカラオケ演奏装置１０において、取得された利用者ＩＤに基づき利用者を特定して管理するためのプログラムからなる。すなわち、利用者管理手段３８では、利用者ＩＤ取得手段２２ｄにより利用者ＩＤが取得された場合に、この利用者ＩＤに基づいて利用者を特定し、利用者管理テーブル３３ｂにて管理する。取得した利用者ＩＤは、選曲予約や演奏頻度の算出を行う際に利用される。
【００３７】
＜音楽再生制御手段＞
音楽再生制御手段３９は、楽曲ＩＤに基づいて楽曲データベース３４ａから抽出された演奏データをデジタル再生するとともにアナログ変換してミキシングアンプ２５に出力するための電子回路である。ミキシングアンプ２５は、マイクロホン２３から入力された歌唱者の歌唱音声信号と、音楽再生制御手段３９から送出される演奏音声信号とをミキシングするとともに、アンプ機能により増幅してスピーカ２４より出力させるための装置である。
【００３８】
＜映像再生制御手段＞
映像再生制御手段４０は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させてディスプレイ装置２６に出力するための電子回路である。
【００３９】
＜ディスプレイ装置＞
ディスプレイ装置２６は、カラオケ演奏時の映像、歌詞テロップ等を表示するための装置で、例えば、液晶ディスプレイ等により構成される。
【００４０】
＜カラオケリモコン装置＞
カラオケリモコン装置２２は、ユーザインタフェース機能を備えており、カラオケ本体２１のローカル送受信手段３６に対して有線方式又は無線方式によりデータの送受信を行うようになっている。このカラオケリモコン装置２２は、楽曲検索手段２２ａとして機能するプログラム、楽曲索引データベース２２ｃ、利用者ＩＤ取得手段２２ｄとして機能するプログラム及び機器、データの送受信を行うための電子回路及びプログラム、フラッシュメモリ等からなる記憶手段（図示せず）を備えている。さらに、楽曲検索手段２２ａは、優先表示制御手段２２ｂの機能を有している。このカラオケリモコン装置２２に付帯するスイッチ類や、入出力表示部（図示せず）に表示される各種のアイコン等を操作することにより、選曲操作等が行われる。
【００４１】
＜楽曲検索手段／楽曲索引データベース＞
楽曲検索手段２２ａは、利用者の指示に基づき、楽曲索引データベース２２ｃを参照して楽曲を検索するためのプログラムからなる。楽曲索引データベース２２ｃは、カラオケ演奏装置１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００４２】
＜利用者ＩＤ取得手段＞
利用者ＩＤ取得手段２２ｄは、任意の利用者がカラオケ演奏装置１０を利用する際に、当該利用者の利用者ＩＤを取得するための電子回路及びプログラムからなる。本実施形態では、利用者がカラオケ演奏装置１０を利用する際に、利用者が所持するＩＤ媒体２７から利用者ＩＤを取得するようになっている。利用者ＩＤ取得手段２２ｄで取得した利用者ＩＤは、ＲＡＭ３３において利用者管理テーブル３３ｂとして一時的に記憶され、利用者管理手段３８で管理される。ＩＤ媒体２７は、例えば非接触型の、ＩＤカード、携帯電話、携帯情報端末等からなり、利用者ＩＤを記憶して、利用者ＩＤ取得手段２２ｄとの間でデータの送受信を行うことができるようになっている。
【００４３】
＜優先表示制御手段＞
優先表示制御手段２２ｂは、特定された利用者の中から選曲者としての指定を受ける機能を有し、ジャンル別検索画面において、指定された選曲者の利用者ＩＤに基づくランキングリスト３３ｃにおける所定順位以上の上位ジャンルのジャンル選択ボタンを優先的に表示させるためのプログラムからなる。ここで、ランキングリスト３３ｃは、カラオケ本体２１が管理コンピュータ５０との間でデータの送受信を行い、管理コンピュータ５０の利用者毎ジャンル別演奏ランキング管理テーブル５４ｂに格納されているデータを取得して、ＲＡＭ３３に記憶されているデータである。
【００４４】
また、上述したように、本実施形態において、優先表示制御手段２２ｂは楽曲検索手段２２ａの機能として構成される。すなわち、優先表示制御手段２２ｂは、カラオケリモコン装置２２を用いてジャンル別検索を行う際に、その表示画面には、ランキングリストの上位となった所定数のジャンル選択ボタンを優先的に表示させる。
【００４５】
優先的な表示とは、例えば、上から２位又は３位までのジャンル選択ボタンが、他の下位ランキングのジャンル選択ボタンよりも大きく表示されることである。この他、上位ランキングのジャンル選択ボタンや、選択ボタンに表示されるジャンル名を、大きく表示したり、ブリンク表示したり、書体や表示色を変更したりしてもよい。また、上位ランキングのジャンル選択ボタンを、複数のレイヤにおいて最上位レイヤに表示したり、スクロールの冒頭部に表示したりすることによっても、上位ランキングのジャンル選択ボタンを優先的に表示することができる。
【００４６】
＜上位ジャンルの優先表示＞
図４を参照して、上位ランキングの優先表示について説明する。図４に、上位ランキングの優先表示の一例を示す。なお、図４に示す例では、カラオケ演奏装置１０を利用している３人の利用者のうち、左端に表示された利用者が選曲者として指定されている状態を示している。そして、当該選曲者として指定された利用者に対応した利用者毎ジャンル別演奏ランキング管理テーブル５４ｂは、図３に示すものであるとする。
【００４７】
例えば、図３に示すように、選曲者として指定された利用者に対応した利用者毎ジャンル別演奏ランキング管理テーブル５４ｂにおいて、上位にランキングされているジャンルをみると、Ｊ−ＰＯＰが１位、洋楽が２位にランキングされている。したがって、カラオケリモコン装置２２の表示画面では、図４に示すように、Ｊ−ＰＯＰと洋楽のジャンル選択ボタンを他のジャンル選択ボタンよりも大きく表示する。これにより、選曲者は、Ｊ−ＰＯＰと洋楽のジャンル選択ボタンを、他のジャンル選択ボタンと容易に区別することができるので、選曲者の選曲傾向に応じて、選曲者が好むジャンルの楽曲を効率よく速やかに選曲することができる。
【００４８】
＜他の実施形態＞
本発明のカラオケ楽曲選曲システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００４９】
１０  カラオケ演奏装置
２１  カラオケ本体
２２  カラオケリモコン装置
２２ａ  楽曲検索手段
２２ｂ  優先表示制御手段
２２ｃ  楽曲索引データベース
２２ｄ  利用者ＩＤ取得手段
２３  マイクロホン
２４  スピーカ
２５  ミキシングアンプ
２６  ディスプレイ装置
２７  ＩＤ媒体
３１  中央制御手段
３２  ＲＯＭ
３３  ＲＡＭ
３３ａ  予約待ち行列
３３ｂ  利用者管理テーブル
３３ｃ  ランキングリスト
３４  ＨＤＤ
３４ａ  楽曲データベース
３４ｂ  映像データベース
３５  ネットワーク送受信手段
３６  ローカル送受信手段
３７  予約管理手段
３８  利用者管理手段
３９  音楽再生制御手段
４０  映像再生制御手段
５０  管理コンピュータ
５１  中央制御手段
５２  ＲＯＭ
５３  ＲＡＭ
５４  ＨＤＤ
５４ａ  楽曲別ジャンル対応付け管理テーブル
５４ｂ  利用者毎ジャンル別演奏ランキング管理テーブル
５５  送受信手段
５６  利用者毎ジャンル別演奏度数集計手段
５７  利用者毎ジャンルランキングリスト作成手段
【図１】
2011075761.tif 000003
【図２】
2011075761.tif 000004
【図３】
2011075761.tif 000005
【図４】
2011075761.tif 000006